(57)【特許請求の範囲】
【請求項１】
複数の操作キーが配列された操作部と、この操作部の操作内容を表示する表示部と、冷暖房器のリモコンデータを記憶すると共に、上記操作部の操作によってリモコンデータを電気信号として出力する制御部と、この電気信号によってリモコン信号を送信する送信部と、上記操作部または表示部の少なくとも一方を後方から照光する発光素子からなり、上記発光素子を寒色及び暖色に発光する二層の発光層が形成されたＥＬ素子とし、この二層の発光層を同時発光させて中間色を発光させると共に、上記操作部の操作が暖房または温度上昇の場合には上記発光素子が暖色に発光し、操作が冷房または温度下降の場合には寒色に発光し、操作が冷暖房以外の場合には中間色に発光する冷暖房器用リモコン送信機。
【請求項２】
表示部前面に、押圧操作によってスイッチング動作する透明タッチパネルを配置した請求項１記載の冷暖房器用リモコン送信機。
【発明の詳細な説明】
【０００１】
【発明の属する技術分野】
本発明は、エアコンやファンヒータ等の冷暖房器の遠隔操作に用いられる、冷暖房器用リモコン送信機に関するものである。
【０００２】
【従来の技術】
近年、エアコンやファンヒータ等の冷暖房器の高機能化が進む中、これらの機器の冷暖房や温度の設定等を、遠隔操作用のリモコン送信機で行うことが増えている。
【０００３】
このような従来の冷暖房器用リモコン送信機について、図４及び図５を用いて説明する。
【０００４】
図４は従来の冷暖房器用リモコン送信機のブロック図、図５は同外観図であり、同図において、１は半透明な複数の操作キーが配列された操作部、２は操作部１の操作内容を表示するＬＣＤ等の表示部で、操作部１には通常使用されることの多い、遠隔操作する冷暖房器の運転を切／入する操作キー１Ａや、冷暖房器の運転状態を冷暖房や除湿、空気清浄等に切換える操作キー１Ｂ、温度設定用の操作キー１Ｃ，１Ｄが配列されている。
【０００５】
なお、操作部１は扉として前後に開閉可能なように構成されており、日付や時刻設定、或いはタイマー設定等の使用頻度の比較的少ない操作キーは、操作部１の後方に配列されている。
【０００６】
そして、３は操作部１や表示部２が接続されたマイコン等の制御部で、制御部３には冷暖房器を遠隔操作するためのリモコンデータが記憶されると共に、赤外線発光ダイオード等の送信部４が接続されて、リモコン送信機が構成されている。
【０００７】
以上の構成において、操作部１を操作すると、これによって制御部３が記憶したリモコンデータを電気信号として出力し、この電気信号から送信部４が赤外線のリモコン信号を送信するように構成されている。
【０００８】
例えば、操作部１の操作キー１Ａを押圧操作すると、制御部３から運転を切／入するリモコンデータが電気信号として出力され、この電気信号によって送信部４が赤外線のリモコン信号を送信し、これを冷暖房器が受信して運転を開始または停止する。
【０００９】
また、操作キー１Ｂを押圧操作すると、表示部２の表示が冷房や暖房、除湿、空気清浄等に切換わって、冷暖房器の運転状態が設定され、操作キー１Ｃや１Ｄを押圧操作すると、表示部２の温度表示が切換わって、温度が設定されるように構成されているものであった。
【００１０】
【発明が解決しようとする課題】
しかしながら上記従来の冷暖房器用リモコン送信機においては、操作部１の操作内容を、表示部２の文字や数字等の表示によって確認するように構成されているため、周囲が暗い場合には設定した内容が確認しづらく、また操作キーの誤操作もおこし易いという課題があった。
【００１１】
本発明は、このような従来の課題を解決するものであり、操作や表示の確認が容易で、使い勝手のよい冷暖房器用リモコン送信機を提供することを目的とする。
【００１２】
【課題を解決するための手段】
上記目的を達成するために本発明は、以下の構成を有するものである。
【００１３】
本発明の請求項１に記載の発明は、複数の操作キーが配列された操作部と、この操作部の操作内容を表示する表示部と、冷暖房器のリモコンデータを記憶すると共に、上記操作部の操作によってリモコンデータを電気信号として出力する制御部と、この電気信号によってリモコン信号を送信する送信部と、上記操作部または表示部の少なくとも一方を後方から照光する発光素子からなり、上記発光素子を寒色及び暖色に発光する二層の発光層が形成されたＥＬ素子とし、この二層の発光層を同時発光させて中間色を発光させると共に、上記操作部の操作が暖房または温度上昇の場合には上記発光素子が暖色に発光し、操作が冷房または温度下降の場合には寒色に発光し、操作が冷暖房以外の場合には中間色に発光する冷暖房器用リモコン送信機を構成したものであり、冷暖房や温度の設定等を行う際、操作内容によって操作部や表示部が暖色または寒色に発光するため、操作や表示の確認が容易で、使い勝手のよい冷暖房器用リモコン送信機を得ることができるという作用を有する。
また、発光層が二層のＥＬ素子で暖色と寒色、及び中間色を発光させることができるため、冷暖房以外の除湿や空気清浄等の設定を行う際には、冷暖房時とは異なる色に発光するため、確認が容易で使い易いものとすることができるという作用を有する。
さらに、一つのＥＬ素子で暖色及び寒色或いは中間色等を発光させることができるため、発光色の異なる複数の発光素子を用いる必要がなく、構成部品数を減らし、安価な冷暖房器用リモコン送信機を得ることができるという作用を有する。
【００１５】
請求項２に記載の発明は、請求項１記載の発明において、表示部前面に、押圧操作によってスイッチング動作する透明タッチパネルを配置したものであり、操作部に加え、表示部でも各種設定や操作が可能なリモコン送信機が得られるという作用を有する。
【００１８】
【発明の実施の形態】
以下、本発明の実施の形態について、図１〜図３を用いて説明する。
【００１９】
なお、従来の技術の項で説明した構成と同一構成の部分には同一符号を付して、詳細な説明を省略する。
【００２０】
（実施の形態）
図１は本発明の一実施の形態による冷暖房器用リモコン送信機のブロック図、図２は同部分断面図であり、同図において、１は半透明な複数の操作キーが配列された操作部、２は操作部１の操作内容を表示するＬＣＤ等の表示部で、操作部１には図５で示したような、通常使用されることの多い、遠隔操作する冷暖房器の運転を切／入する操作キー１Ａや、冷暖房器の運転状態を冷暖房や除湿、空気清浄等に切換える操作キー１Ｂ、温度設定用の操作キー１Ｃ，１Ｄが配列されている。
【００２１】
そして、３は配線基板６上に装着され、操作部１や表示部２が接続されたマイコン等の制御部で、制御部３には冷暖房器を遠隔操作するためのリモコンデータが記憶されると共に、赤外線発光ダイオード等の送信部４が接続されている。
【００２２】
また、７は制御部３に接続された、暖色及び寒色に発光する二層の発光層が形成された発光素子としてのＥＬ素子で、このＥＬ素子７が操作部１及び表示部２の下面に配置され、これらを後方から照光するようにして、リモコン送信機が構成されている。
【００２３】
なお、図３はこのようなＥＬ素子の部分断面図であり、同図において、１１はポリエチレンテレフタレート等の透明な絶縁フィルムで、この下面に、酸化インジウム錫等の光透過性電極層１２Ａと、合成樹脂に硫化亜鉛等を分散させた暖色発光体層１３が順次重ねて形成されている。
【００２４】
そして、さらにこの上に、光透過性電極層１２Ｂや寒色発光体層１４、銀やカーボンレジン系の背面電極層１５が重ねて印刷形成され、これらを絶縁層１６が覆ってＥＬ素子７が構成されている。
【００２５】
以上の構成において、操作部１の各操作キーを操作すると、各操作キー下面の可動接点が配線基板６上面の固定接点に接触し、これによって制御部３が記憶したリモコンデータを電気信号として出力し、この電気信号から送信部４が赤外線のリモコン信号を送信する。
【００２６】
例えば、操作部１の操作キー１Ｂを押圧操作すると、制御部３から運転状態を切換えるリモコンデータが電気信号として出力され、この電気信号によって送信部４が赤外線のリモコン信号を送信し、これを冷暖房器が受信して運転状態が冷房や暖房、除湿、空気清浄等に切換わる。
【００２７】
そして、この時、例えば冷房に切換えた場合には、ＥＬ素子７の光透過性電極層１２Ｂと背面電極層１５に電圧が印加され、この間の寒色発光体層１４がブルーやグリーン等の寒色に発光して、操作キー１Ｂや表示部２の表示が寒色に照光される。
【００２８】
これに対し、暖色に切換えた場合には、光透過性電極層１２Ａと１２Ｂに電圧が印加され、この間の暖色発光体層１３がピンクやオレンジ等の暖色に発光するため、操作キー１Ｂや表示部２の表示は暖色に照光される。
【００２９】
さらに、除湿や空気清浄等の冷暖房以外の運転状態に切換えた場合には、光透過性電極層１２Ａと１２Ｂ、及び背面電極層１５に電圧が印加され、寒色発光体層１４も暖色発光体層１３も同時に発光するため、操作キー１Ｂや表示部２の表示は、これらの寒色と暖色が混合されたホワイト等の中間色に照光される。
【００３０】
同様に、温度設定用の操作キー１Ｃや１Ｄを押圧操作すると、温度上昇用の操作キー１Ｃを押圧操作した場合には、ＥＬ素子７の暖色発光体層１３が発光し、温度下降用の操作キー１Ｄを押圧操作した場合には、寒色発光体層１４が発光して、操作キー１Ｃ，１Ｄや表示部２の温度表示を各々照光するように構成されている。
【００３１】
このように本実施の形態によれば、操作部１及び表示部２の後方に、暖色及び寒色に発光するＥＬ素子７を配置し、操作部１の操作が暖房または温度上昇の場合にはＥＬ素子７が暖色に発光し、操作が冷房または温度下降の場合には寒色に発光するように冷暖房器用リモコン送信機を構成することによって、冷暖房や温度の設定等を行う際、操作内容によって操作部１や表示部２が暖色または寒色に発光するため、操作や表示の確認が容易で、使い勝手のよい冷暖房器用リモコン送信機を得ることができるものである。
【００３２】
そして、操作部１の操作が冷暖房以外の場合には、ＥＬ素子７を中間色に発光させることによって、冷暖房以外の、除湿や空気清浄等の設定を行う際にも、確認が容易で使い易いものとすることができる。
【００３３】
また、ＥＬ素子７を寒色及び暖色に発光する寒色発光体層１４と暖色発光体層１３の二層の発光層が形成されたものとし、この二層の発光層を同時発光させて中間色を発光することによって、発光層が二層のＥＬ素子７で暖色と寒色、及び中間色を発光させることができるため、リモコン送信機を安価なものとすることができる。
【００３４】
なお、寒色発光体層１４と背面電極層１５の間に、さらに光透過性電極層と中間色発光体層を形成し、これらを絶縁層１６で覆ってＥＬ素子を構成して、操作キーや表示部２の表示を中間色に照光する場合には、この中間色発光体層をイエローやライトグリーン等の中間色に発光させる構成としても、本発明の実施は可能である。
【００３５】
また、可撓性を有する絶縁フィルム等の上基板下面に形成された上電極を、下基板上面に形成された下電極と、上下基板間に形成したドットスペーサによって所定の間隙で対向させて、押圧操作によってスイッチング動作する透明タッチパネルを、ＬＣＤ等の表示部２前面に配置することによって、表示部２でも各種設定や操作の可能なリモコン送信機とすることができる。
【００３７】
【発明の効果】
以上のように本発明によれば、操作や表示の確認が容易で、使い勝手のよい冷暖房用リモコン送信機を得ることができるという有利な効果が得られる。
【図面の簡単な説明】
【図１】本発明の一実施の形態による冷暖房器用リモコン送信機のブロック図
【図２】同部分断面図
【図３】同ＥＬ素子の部分断面図
【図４】従来の冷暖房器用リモコン送信機のブロック図
【図５】同外観図
【符号の説明】
１  操作部
１Ａ，１Ｂ，１Ｃ，１Ｄ  操作キー
２  表示部
３  制御部
４  送信部
６  配線基板
７  ＥＬ素子
１１  絶縁フィルム
１２Ａ，１２Ｂ  光透過性電極層
１３  暖色発光体層
１４  寒色発光体層
１５  背面電極層
１６  絶縁層
【図１】
0003994671.tif 000002
【図２】
0003994671.tif 000003
【図３】
0003994671.tif 000004
【図４】
0003994671.tif 000005
【図５】
0003994671.tif 000006